【手続補正書】
【提出日】平成23年5月18日(2011.5.18)
【手続補正１】
【補正対象書類名】特許請求の範囲
【補正対象項目名】全文
【補正方法】変更
【補正の内容】
【特許請求の範囲】
【請求項１】
ハウジング、
前記ハウジングによって支持された少なくとも１つの光学機器、
前記ハウジングによって支持され、前記少なくとも１つの光学機器へ選択的に光を供給するファイバー、並びに
前記ハウジングによって支持されるスリーブであって、前記少なくとも１つの光学機器へ供給される光量を変えるために前記ファイバーを選択的に露出する開口、および前記開口に広がっているカバーであって前記ファイバーに対して前記スリーブを用いて動かすことが可能なカバーを含むスリーブ、
を含む光学照準器。
【請求項２】
前記カバーは前記ファイバーから離間していることを特徴とする、請求項１に記載の光学照準器。
【請求項３】
前記カバーは、透明材料または半透明材料のうちの１つから形成されており、光が通過することが可能であることを特徴とする、請求項１または２に記載の光学照準器。
【請求項４】
前記ファイバーは前記ハウジングに巻かれていることを特徴とする、請求項１〜３のいずれかの項に記載の光学照準器。
【請求項５】
前記ファイバーは前記ハウジングの全周囲に巻かれていることを特徴とする、請求項１〜３のいずれかの項に記載の光学照準器。
【請求項６】
前記スリーブは、光が前記ファイバーに達しないように前記ファイバー上に配置されているボディを含むことを特徴とする、請求項１〜５のいずれかの項に記載の光学照準器。
【請求項７】
前記ファイバーは第１の部分および第２の部分を含み、前記第１の部分は光が前記第１の部分で集められることを防ぐコーティングを有し、前記第２の部分は前記ファイバーが前記第２の部分で光を集めることができるように露出されることを特徴とする、請求項１〜６のいずれかの項に記載の光学照準器。
【請求項８】
前記ファイバーが光を集めることができないように前記第１の部分上に前記開口を選択的に配置するために、および前記ファイバーが光を集めることができないように前記第２の部分上に前記開口を選択的に配置するために、前記スリーブは前記ハウジングに対して回転可能であることを特徴とする、請求項７に記載の光学照準器。
【請求項９】
前記ファイバーによって集められる光量を調節するために前記第１の部分および前記第２の部分のうちの少なくとも１つの上に前記開口を選択的に配置するために、前記スリーブは前記ハウジングに対して回転可能であることを特徴とする、請求項７に記載の光学照準器。
【請求項１０】
前記の少なくとも１つの光学機器はプリズムであることを特徴とする、請求項１〜９のいずれかの項に記載の光学照準器。
【請求項１１】
前記プリズムは、その表面に形成され、前記ファイバーによって選択的に照らされたパターンを含むことを特徴とする、請求項１０に記載の光学照準器。
【請求項１２】
前記カバーおよび前記スリーブの間に屑の侵入を防ぐために、前記カバーに付随したシールをさらに含むことを特徴とする、請求項１〜１１のいずれかの項に記載の光学照準器。
【請求項１３】
前記シールは気密シールであることを特徴とする、請求項１２に記載の光学照準器。
【請求項１４】
前記ハウジングに対して前記スリーブの動作を補助するために、前記スリーブ上に形成された一連の突起をさらに含むことを特徴とする、請求項１〜１３のいずれかの項に記載の光学照準器。
【請求項１５】
ハウジング、
前記ハウジングによって支持された少なくとも１つの光学機器、
前記ハウジングによって支持され、前記少なくとも１つの光学機器へ光を選択的に供給するファイバーであって、前記ハウジングの全周囲に巻かれたファイバー、並びに
前記ハウジングによって支持されたスリーブであって、前記少なくとも１つの光学機器へ供給される光量を変化させるために、前記ファイバーを選択的に露出する開口、および前記ファイバーに対して前記カバーを動かすことができるように前記ファイバーから離間し、前記開口上に広がっているカバーを含むスリーブ、
を含む光学照準器。
【請求項１６】
前記カバーは透明材料または半透明材料のうちの１つから形成され、そこを通して光が通過できることを特徴とする、請求項１５に記載の光学照準器。
【請求項１７】
光が前記ファイバーに到達することを防ぐために、前記スリーブは前記ファイバー上に配置されるボディを含むことを特徴とする、請求項１５または１６に記載の光学照準器。
【請求項１８】
前記ファイバーは第１の部分および第２の部分を含み、前記第１の部分は光が前記第１の部分で集められることを防ぐコーティングを有し、前記第２の部分は前記ファイバーが前記第２の部分で光を集めることができるように露出されることを特徴とする、請求項１５〜１７のいずれかの項に記載の光学照準器。
【請求項１９】
前記ファイバーが光を集めることができないように前記第１の部分上に前記開口を選択的に配置するために、および前記ファイバーが光を集めることができないように、前記第２の部分上に前記開口を選択的に配置するために、前記スリーブは前記ハウジングに対して回転可能であることを特徴とする、請求項１８に記載の光学照準器。
【請求項２０】
前記ファイバーによって集められる光量を調節するように前記第１の部分および前記第２の部分の少なくとも１つの上に前記開口を選択的に配置するために、前記スリーブは前記ハウジングに対して回転可能であることを特徴とする、請求項１８に記載の光学照準器。
【請求項２１】
前記少なくとも１つの光学機器はプリズムであることを特徴とする、請求項１５〜２０のいずれかの項に記載の光学照準器。
【請求項２２】
前記プリズムはその表面に形成され、前記ファイバーによって選択的に照らされたパターンを含むことを特徴とする、請求項２１に記載の光学照準器。
【請求項２３】
前記カバーおよび前記スリーブの間に屑の侵入を防ぐために、前記カバーに付随したシールをさらに含むことを特徴とする、請求項１５〜２２のいずれかの項に記載の光学照準器。
【請求項２４】
前記シールは気密シールであることを特徴とする、請求項２３に記載の光学照準器。
【請求項２５】
前記ハウジングに対して前記スリーブの動作を補助するために、前記スリーブ上に形成された一連の突起をさらに含むことを特徴とする、請求項１５〜２４のいずれかの項に記載の光学照準器。
【請求項２６】
ハウジング、
前記ハウジングによって支持された少なくとも１つのプリズム、
前記プリズム上に配置された光学素子、並びに
周辺光を前記プリズムへ供給することができ前記ＬＥＤと連結し前記ＬＥＤから前記プリズムへ光を供給するファイバー、および前記光学素子を経由して前記プリズムに光を供給することができる発光素子（ＬＥＤ）を含むとともに前記光学素子に付随する照明素子
を含むことを特徴とする光学照準器。
【請求項２７】
前記ファイバーは光を直接前記プリズムへ供給することを特徴とする請求項２６に記載の光学照準器。
【請求項２８】
前記ファイバーは前記光学素子を通して伸長し光を直接前記プリズムへ供給することを特徴とする請求項２６に記載の光学照準器。
【請求項２９】
前記プリズムは少なくとも１つのレチクル、スタジア線、および照準点を決める刻み部を含み、前記照明素子は前記光学素子を経由して少なくとも１つの前記レチクル、前記スタジア線、および前記照準点を照らすことができることを特徴とする請求項２６〜２８のいずれかの項に記載の光学照準器。
【請求項３０】
前記光学素子は前記照明素子から前記プリズムの方へ放射された光を分散することができる分散面を含むことを特徴とする請求項２６〜２９のいずれかの項に記載の光学照準器。
【請求項３１】
前記分散面は前記プリズムの表面と対向することを特徴とする請求項３０に記載の光学照準器。
【請求項３２】
前記ＬＥＤは前記光学素子および前記プリズムの１つに付着していることを特徴とする請求項２６〜３１のいずれかの項に記載の光学照準器。
【請求項３３】
前記ＬＥＤは前記光学素子から間隙を介して分離していることを特徴とする請求項２６〜３１のいずれかの項に記載の光学照準器。
【請求項３４】
前記ファイバーは前記光学素子から前記プリズムへ光を導くことを特徴とする請求項２６〜３３のいずれかの項に記載の光学照準器。
【請求項３５】
ハウジング、
前記ハウジングによって支持された少なくとも１つのプリズム、
前記プリズム上に配置された光学素子、並びに
前記光学素子へ光を供給することができる発光素子（ＬＥＤ）、および前記光学素子を通って伸長しかつ前記光学素子と独立して前記プリズムに光を供給することができるファイバーであって、周辺光を前記プリズムへ供給することができ、前記ＬＥＤから前記プリズムへ光を供給することができるファイバーを含むとともに、前記光学素子に付随する照明素子、
を含むことを特徴とする光学照準器。
【請求項３６】
前記ＬＥＤは、前記光学素子を経由しかつ前記ファイバーを経由して光を前記プリズムへ供給することを特徴とする請求項３５に記載の光学照準器。
【請求項３７】
前記ファイバーは前記ＬＥＤと連結し、前記ＬＥＤから直接前記プリズムへ光を供給することを特徴とする請求項３５に記載の光学照準器。
【請求項３８】
前記プリズムは少なくとも１つのレチクル、スタジア線、および照準点を決める刻み部を含み、前記照明素子は前記光学素子を経由して少なくとも１つの前記レチクル、前記スタジア線、および前記照準点を照らすことができることを特徴とする請求項３５〜３７のいずれかの項に記載の光学照準器。
【請求項３９】
前記光学素子は前記照明素子から前記プリズムの方へ放射された光を分散することができる分散面を含むことを特徴とする請求項３５〜３８のいずれかの項に記載の光学照準器。
【請求項４０】
前記分散面は前記プリズムの表面と対向することを特徴とする請求項３９に記載の光学照準器。
【請求項４１】
前記ファイバーは前記光学素子から前記プリズムへ光を導くことを特徴とする請求項３５〜４０のいずれかの項に記載の光学照準器。